(57)【要約】      （修正有）【課題】スムーズにほろ蚊帳等が拡張することを可能とした、ほろ蚊帳等の下ろくろの提供。【解決手段】下ろくろ１３の軸部１４を引き紐２２で引き上げて下ろくろ１３の軸部１４を上ろくろ１内に挿通し、下ろくろ１３の軸部１４に設けた弾性係体１６を上ろくろ１の頭部２に係止させることにより、主骨９及び一端が主骨９に枢着２１され、他端が下ろくろ１３に枢着１９された受け骨１８を拡張し、係止を解除することにより上ろくろ１から下ろくろ１３の軸部１４が抜け、主骨９及び受け骨１８が折り畳まれるほろ蚊帳等に使用される下ろくろ１３である。下ろくろ１３の軸部１４で弾性係体１６より下方位置に、主骨９及び受け骨１８が折り畳まれた時に受け骨１８が当たるストッパー１７を設ける。ストッパー１７を受け骨１８が当たった時に受け骨１８と主骨９の枢着２１部が、受け骨１８と下ろくろ１３の枢着１９部よりも外方に位置するように構成する。【選択図】図１
0003123712.tif 000002
【実用新案登録請求の範囲】
【請求項１】
下ろくろの軸部を引き紐で引き上げて下ろくろの軸部を上ろくろ内に挿通し、下ろくろの軸部に設けた弾性係体を上ろくろの頭部に係止させることにより、主骨及び一端が主骨に他端が下ろくろに夫々枢着された受け骨を拡張し、係止を解除することにより上ろくろから下ろくろの軸部が抜け、主骨及び受け骨が折り畳まれるほろ蚊帳等に使用される下ろくろであって、この下ろくろの軸部で弾性係体より下方位置に、主骨及び受け骨が折り畳まれた時に受け骨が当たるストッパーが設けられ、このストッパーは受け骨が当たった時に受け骨と主骨の枢着部が、受け骨と下ろくろの枢着部よりも外方に位置する様に構成されていることを特徴とする、ほろ蚊帳等の下ろくろ。
【請求項２】
ストッパーは下ろくろの軸部の周方向にリング状に形成されていることを特徴とする請求項１記載のほろ蚊帳等の下ろくろ。
【考案の詳細な説明】
【技術分野】
【０００１】
本考案は、ほろ蚊帳、食卓覆い等の下ろくろの改良に関し、詳しくはほろ蚊帳等の引き紐による拡張を容易にした下ろくろに関するものである。
【背景技術】
【０００２】
ほろ蚊帳等を拡張する時は、引き紐を引き上げて下ろくろを上昇させることにより、一端が下ろくろの下部に回動可能に枢着され、他端が主骨の途中に回動可能に枢着された受け骨が外方へ回動し主骨を拡張するが、主骨と受け骨が折り畳まれた時に、受け骨と主骨との枢着部が、受け骨と下ろくろの枢着部と垂直線上に並ぶか、或いは受け骨と主骨との枢着部が受け骨と下ろくろの枢着部よりも内側（下ろくろの軸部側）に寄ると、始めに引き紐を引いても受け骨が突っ張ったり、或いは、カバーの裾が纏わり付いて受け骨が回動せず拡開が不可能となり、そのため、主骨の下方を手で拡げて受け骨をやや外方へ回動させて、カバーの裾をほぐしてから引き紐を引かなければならず、その操作は非常に面倒であった。
【０００３】
そこで、この問題点を解消するため、従来は図２に示す様に、主骨Ａ及び受け骨Ｂが折り畳まれた時に、受け骨Ｂと主骨Ａの枢着部Ｃが、受け骨Ｂと下ろくろの枢着部Ｄよりも外方に位置するよう、受け骨Ｂの主骨Ａとの連結側の端部付近に内側に向けた屈曲部Ｅを形成し、折り畳まれた時に主骨Ａの内側が屈曲部Ｅに当たり、それ以上の主骨Ａ及び受け骨Ｂが折り畳まれることを防止している。
【０００４】
しかし、受け骨Ｂをすべて曲げ加工することは非効率的で、製造コストも高くつく等の問題点を有していたのである。
【考案の開示】
【考案が解決しようとする課題】
【０００５】
上記点より本考案は、ほろ蚊帳等を拡張する時に、引き紐を引いても受け骨が突っ張ったり、或いは、カバーの裾が纏わり付くことがなく、スムーズにほろ蚊帳等が拡張することを可能とした、ほろ蚊帳等の下ろくろを提供しようとするものである。
【課題を解決するための手段】
【０００６】
上記課題を解決するため本考案ほろ蚊帳等の下ろくろは、下ろくろの軸部を引き紐で引き上げて下ろくろの軸部を上ろくろ内に挿通し、下ろくろの軸部に設けた弾性係体を上ろくろの頭部に係止させることにより、主骨及び一端が主骨に他端が下ろくろに夫々枢着された受け骨を拡張し、係止を解除することにより上ろくろから下ろくろの軸部が抜け、主骨及び受け骨が折り畳まれるほろ蚊帳等に使用される下ろくろであって、この下ろくろの軸部で弾性係体より下方位置に、主骨及び受け骨が折り畳まれた時に受け骨が当たるストッパーが設けられ、このストッパーは受け骨が当たった時に受け骨と主骨の枢着部が、受け骨と下ろくろの枢着部よりも外方に位置する様に構成されていることを特徴とするものである。
【０００７】
又、本考案ほろ蚊帳等の下ろくろは、請求項１記載のほろ蚊帳等の下ろくろにおいて、ストッパーは下ろくろの軸部の周方向にリング状に形成されていることを特徴とするものである。
【０００８】
このような構成とすることにより、ほろ蚊帳等は主骨及び受け骨が折り畳まれた時は、受け骨がストッパーに当たっているため、受け骨と主骨の枢着部が、受け骨と下ろくろの枢着部よりも外方に位置しており、そのため受け骨は外方へやや回動した状態であると共に、主骨は下方が少し開いた状態となって、カバーの裾が纏わり付くことがないので、引き紐を引くと受け骨が突っ張ることもなく、且つカバーの裾も引っ掛かることがなくスムーズに主骨及び受け骨が拡開し、ほろ蚊帳等が拡張する。
又、ストッパーをリング状とすることが製造も容易で作用も確実で好適である。
【考案の効果】
【０００９】
本考案ほろ蚊帳等の下ろくろによれば、折り畳まれた状態が受け骨は外方へやや回動し、主骨は下方が少し開いた状態となるため、従来のほろ蚊帳等のように引き紐を引いた時に、受け骨が突っ張って回動しなくなったり、或いは、カバーの裾が纏わり付いて拡張しなくなったりすることがなく、スムーズに拡張することが可能となる効果を有する。
【００１０】
又、構成は下ろくろの軸部にリング状のストッパーを設けただけのものであるから簡単であり、従来の様に総ての受け骨の一端部を屈曲させる加工を施す必要がないので作業性が良いと共に、製造コストも安価となる効果を有する。
【考案を実施するための最良の形態】
【００１１】
以下、本考案の一実施の形態を添付図面を参照して説明する。
図１は本考案ほろ蚊帳等の下ろくろの使用状態を示す一部省略した断面図である。
【００１２】
図中１は上部体１ａ及び下部体１ｂから成るプラスチック製の上ろくろである。上部体１ａは頭部２と、頭部２の下部の首部３と、首部３の下部に形成した鍔部４が一体に形成されて成り、そして、頭部２の中心部から鍔部４の中心部に貫通孔５が設けられている。
【００１３】
貫通孔５は、上部孔５ａを除いた下方の内周壁に上部孔５ａの内径より大きい内径の螺子溝５ｂを設け、上部孔５ａとの境に段部５ｃを形成している。又、貫通孔５の螺子溝５ｂに続いて、その下部は下方に広がったテーパー形状の下部孔５ｄに形成されている。
【００１４】
下部体１ｂは、後に説明する下ろくろの軸部が挿通自在な中空軸部６と、この中空軸部６の下部外周に一体に形成された主骨取り付け用鍔部７から成り、中空軸部６の外周面の一部に上部体１ａの貫通孔５の螺子溝５ｂに螺合する螺子６ｂが設けられている。又、中空軸部６の外周面で螺子６ｂの上方に、上部体１ａの貫通孔５の段部５ｃと突合する段部６ｃが形成され、段部６ｃの上方は上部体１ａの貫通孔５の上部孔５ａ内に挿通される。
【００１５】
尚、両段部５ｃ,6ｃは、突合時に上部体１ａの鍔部４の下面と、下部体１ｂの主骨取り付け用鍔部７の上面間に隙間８が設けられるように形成されている。
この隙間８は上部体１ａの貫通孔５の下部孔５ｄに連通している。よってカバーの中央部の孔周縁部を取り付けた時に、周縁部が隙間８のみならず、下部孔５ｄの存在により一層挟まり難いものとなっている。
【００１６】
又、主骨取り付け用鍔部７には、可撓性を有する金属又は合成樹脂で細い棒状に形成された主骨９が、主骨取り付け用鍔部７に設けた放射状溝７ａに、その上部を主骨取り付け用鍔部７の周方向の溝７ｂに設けた針金等を介して夫々回動自在に枢着１０されている。
【００１７】
１１は網目状のカバーであり、主骨９に張設される。このカバー１１の中央部に孔１２が設けられ、この孔１２に上ろくろ１の下部体１ｂの中空軸部６を挿通した後、上部体１ａを螺合し、カバー１１の中央部の穴１２を取り付ける。孔１２の大きさは、鍔部４及び主骨取り付け用鍔部７の外径よりも小さく、下部体１ｂの中空軸部６が挿通できるだけの大きさとなっている。カバー１１の裾部は主骨９の下端部に固定される。
【００１８】
１３はプラスチック製の下ろくろであり、上ろくろ１の下部体１ｂの中空軸部６に挿通自在な軸部１４の下端部に受け骨取り付け用鍔部１５が形成されると共に、軸部１４の上部の側方に出入り自在に弾性係体１６が内装され、この弾性係体１６は上ろくろ１の頭部２の上面に係脱自在となっている。
【００１９】
そして、軸部１４の中央部より下方位置に軸部１４の周方向にリング状のストッパー１７が軸部１４と一体に形成されている。
受け骨取り付け用鍔部１５には、主骨９の本数に対応した本数の金属又は合成樹脂製の受け骨１８が、受け骨取り付け用鍔部１５に設けた放射状溝１５ａに，その一端を受け骨取り付け用鍔部１５の周方向の溝１５ｂに設けた針金等を介して夫々回動自在に枢着１９されている。
又、受け骨１８の他端は主骨９に固定した止め金２０に回動可能に枢着２１されている。
【００２０】
この受け骨１８は折り畳まれた時に、下ろくろ１３の軸部１４に設けたリング状のストッパー１７の外周に当たり、この時、受け骨１８と主骨９との枢着２１部が、受け骨１８と下ろくろ１３の受け骨取り付け用鍔部１５との枢着１９部よりも外方に位置するように、ストッパー１７が構成されている。
これにより、折畳まれた時に受け骨１８はやや外方へ回動した状態となると共に、主骨９も下部が少し開いた状態となるため、主骨９及び受け骨１８の拡開が容易となる。
尚、図中２２は一端が下ろくろ１３の軸部１４の上端に止着され、他端が摘み２３に固着された引き紐である。
【００２１】
次に、ほろ蚊帳の拡張は、引き紐２２を引けば、下ろくろ１３の軸部１４が上昇し、これにより受け骨１８は外方へ回動すると共に主骨９が広がり、下ろくろ１３の軸部１４の上部が上ろくろ１の下部体１ｂの中空軸部６内に挿通して、弾性係体１６が上ろくろ１の頭部２の上面に係止することにより、下ろくろ１３は上ろくろ１に固定され、ほろ蚊帳は拡張する。
【００２２】
ほろ蚊帳の折り畳みは、弾性係体１６を指で押し込み係止を解除し、下ろくろ１３の軸部１４を下方へ押し込めば、主骨９の閉鎖方向への弾力により一気に受け骨１８は回動して下ろくろ１３は下降し折り畳まれ、受け骨１８は下ろくろ１３の軸部１４のストッパー１７に当たって停止する。
【００２３】
以上、本考案を実施形態に基づき具体的に説明したが、本考案は上記実施形態に何ら限定されるものではなく、本考案の趣旨を逸脱しない範囲内で種々の改良変形が可能である。
【図面の簡単な説明】
【００２４】
【図１】本考案ほろ蚊帳等の下ろくろの使用状態を示す一部省略した断面図である。
【図２】従来の下ろくろの使用状態を示す部分正面図である。
【符号の説明】
【００２５】
１          上ろくろ
１ａ        上部体
１ｂ        下部体
７          主骨取り付け用鍔部
９          主骨
１１        カバー
１３        下ろくろ
１４        軸部
１５        受け骨取り付け用鍔部
１６        弾性係体
１７        ストッパー
１８        受け骨
１９        枢着
２１        枢着
２２        引き紐
【図１】
0003123712.tif 000003
【図２】
0003123712.tif 000004